(57)【要約】      （修正有）【課題】磁性体からなる基板の周端部を、その横断面形状が先端に向かって三角形状に尖らせるとともに前記基板の表面に磁石設置部を設けた磁力増幅装置であり、磁石の表面に、鉄粉を含む潤滑油を単に、流して、その鉄粉を除去する装置を提供する。【解決手段】磁石設置部に磁石を設置した際に、前記基板が磁性化し、前記周端部の先端にあっては磁性密度が大きくなり、この結果、この前記周端部の先端における磁力を増幅させることができる。この簡単な装置で磁力を増幅することができ、この結果、磁石の使用価値を拡大することができる。磁石の表面に、鉄粉を含む潤滑油を単に、流して、その鉄粉を除去するという、潤滑油の浄化装置においては、鉄粉の除去効能は拡大し、潤滑油の浄化能率を向上させることができる。【選択図】  図２
2008095654.tif 000002
【特許請求の範囲】
【請求項１】
磁性体からなる基板の周端部を、その横断面形状が先端に向かって三角形状に尖らせるとともに前記基板の表面に磁石設置部を設けたことを特徴とする磁力増幅装置。
【請求項２】
請求項１の磁力増幅装置において、前記周端部が外周端部であることを特徴とする磁力増幅装置。
【請求項３】
請求項１の磁力増幅装置において、前記基板に軸孔を形成し、前記周端部がこの軸孔の内周端部であることを特徴とする磁力増幅装置。
【発明の詳細な説明】
【技術分野】
【０００１】
この発明は磁力増幅装置に関し、例えば、潤滑油の浄化装置の部品として使用されるものである。
【背景技術】
【０００２】
従来における磁力増幅装置においては、モーターを使用して一対の磁石を逆方向に回転させることによって磁力を増幅し、前記モーターの消費電力を低減させるものが存在した。
【０００３】
【特許文献１】特開平１１−０６９７７０号公報
【発明の開示】
【発明が解決しようとする課題】
【０００４】
しかしながら、かかる従来における磁力増幅装置にあっては、一対の磁石が逆回転するものであったため、構造が複雑になり、磁石の表面に、鉄粉を含む潤滑油を単に、流して、その鉄粉を除去するという、所謂、潤滑油の浄化装置には使用しにくいという不都合を有した。
【０００５】
この発明の課題はこの不都合を解消することである。
【課題を解決するための手段】
【０００６】
この課題を達成するために、発明者は鋭意研究し、この発明を完成した。
【０００７】
この発明に係る磁力増幅装置においては、磁性体からなる基板の周端部を、その横断面形状が先端に向かって三角形状に尖らせるとともに前記基板の表面に磁石設置部を設けたものである。
【０００８】
なお、前記周端部を外周端部にすることもできる。
【０００９】
また、前記基板に軸孔を形成し、前記周端部として、この軸孔の内周端部を該当させることもできる。
【発明の効果】
【００１０】
この発明に係る磁力増幅装置は、磁性体からなる基板の周端部を、その横断面形状が先端に向かって三角形状に尖らせるとともに前記基板の表面に磁石設置部を設けため、この磁石設置部に磁石を設置した際に、前記基板が磁性化し、前記周端部の先端にあっては磁性密度が大きくなり、この結果、この前記周端部の先端における磁力を増幅させることができる。
【００１１】
よって、この磁力増幅装置を使用すれば、簡単な装置で磁力を増幅することができ、この結果、磁石の使用価値を拡大することができる。例えば、磁石の表面に、鉄粉を含む潤滑油を単に、流して、その鉄粉を除去するという、所謂、潤滑油の浄化装置においては、鉄粉の除去効能は拡大し、潤滑油の浄化能率を向上させることができる。
【００１２】
なお、前記周端部を外周端部にすれば、前記基板の外周端部の磁力を増幅するこことができる。例えば、鉄粉を含む潤滑油が、基板の外周側を通過する場合に利用できる。
【００１３】
また、前記基板に軸孔を形成し、前記周端部として、この軸孔の内周端部を該当させれば、この軸孔の内周端部の磁力を増幅することができる。例えば、鉄粉を含む潤滑油が、基板の軸孔を通過する場合に利用できる。
【発明を実施するための最良の形態】
【００１４】
この発明に係る磁力増幅装置は、磁性体からなる基板の周端部を、その横断面形状が先端に向かって三角形状に尖らせるとともに前記基板の表面に磁石設置部を設け、この磁石設置部に磁石を設置して、前記周端部の先端における磁性密度を大きくさせる事に最も主要な特徴を有する。
【実施例】
【００１５】
以下、この発明の実施例を、図面に基づいて説明する。図１はこの発明に係る磁力増幅装置の斜視図、図２は図１におけるII−II線断面図、図３は他の実施例を示したものであり、図２におけるIII 部に相当する図である。
【００１６】
図１において、Ａは磁力増幅装置であり、10はその基板である。この基板10は円盤状であり、磁性体によって形成されている。11は軸孔であり、前記基板10の軸心部に形成されている。この軸孔11は後記磁石Ｍとの関連で必要な場合にのみ形成する。例えば、磁石Ｍの中心部に軸孔ｍが形成されている場合には、同形の軸孔11が形成される。
【００１７】
12は磁石設置用凹部（この発明の「磁石設置部」に相当する）であり、前記基板10の表面に同心状に形成されている。この磁石設置用凹部12には、図２に示すように、磁石（永久磁石）Ｍが略隙間無く着脱可能に内嵌めされる。このとき、前記基板10は磁性化する。
【００１８】
次に、図２に示すように、20は前記基板10の外周縁部（この発明の「周端縁部」に該当する）であり、その横断面形状が先端に向かって三角形状に尖っている。このため、この尖った頂点の磁束密度は大きくなり、この頂点における磁力は増幅される。ちなみに、ガウス計で測定したところ、前記磁石の外周縁部が３０００ガウスである場合に、この頂点では１２０００ガウスが計測された。
【００１９】
なお、この測定は通常の計測器が測定したものである。この装置Ａにあっては、例えば、鉄粉を含む潤滑油が、前記基板10の外周側をＢ方向又はこの逆方向に通過する場合に利用できる。
【００２０】
なお、図３に示すように、前記外周縁部の先端に細周溝21を形成すれば、尖った部分が２ケ所できるため、おのおのの尖った頂点における磁束密度は大きくなり、これらの頂点における磁力は増幅される。ちなみに、ガウス計で測定したところ、前記磁石の外周縁部が３０００ガウスである場合に、この頂点では１２０００ガウスが計測された。この装置Ａは、例えば、鉄粉を含む潤滑油が、基板の軸孔を通過する場合に利用できる。
【００２１】
また、図２に仮装線で示したように、前記軸孔11の内周縁部（この発明の「周端縁部」に該当する）30を、同様に、その横断面形状が先端に向かって三角形状に尖るように構成すれば、前記外周縁部20の場合と同様に磁力が増幅される。
【産業上の利用可能性】
【００２２】
磁石の使用価値を拡大することができる。例えば、磁石の表面に、鉄粉を含む潤滑油を単に、流して、その鉄粉を除去するという、所謂、潤滑油の浄化装置においては、鉄粉の除去効能は拡大し、潤滑油の浄化能率を向上させために利用できる。
【図面の簡単な説明】
【００２３】
【図１】図１はこの発明に係る磁力増幅装置の斜視図である。
【図２】図２は図１におけるII−II線断面図である。
【図３】図３は他の実施例を示したものであり、図２におけるIII 部に相当する図である。
【符号の説明】
【００２４】
Ａ  …  磁力増幅装置
10  …  基板
11  …  軸孔
Ｍ  …  磁石
12  …  磁石設置用凹部（磁石設置部）
20  …  外周縁部（周端縁部）
21  …  細周溝
30  …  内周縁部（周端縁部）
【図１】
2008095654.tif 000003
【図２】
2008095654.tif 000004
【図３】
2008095654.tif 000005